(57)【要約】【課題】ディスプレー上で透視図のスタイルを自由に変更し且つ各スタイル毎に視点位置・観察方向を自由に移動させて透視図の３次元画像を表示して見ることができる。【解決手段】コンピュータ１で室内の透視図を３次元画像でディスプレー上に表示するインテリアシミュレーションシステムである。インテリアシミュレーションシステムをコンピュータ１とディスプレー２で構成する。コンピュータ１に、室内のインテリアを複数の異なるスタイルに区分けすると共にスタイルにより区分けされたそれぞれの室内の３次元形状データ及びテクスチャーデータを蓄積した３次元画データファイル８と、ディスプレー２上において表示する透視図の視点位置・観察方向を移動するための視点位置・観察方向移動処理手段９と、ディスプレー２上において表示する透視図のスタイルを変更するスタイル変更処理手段６とを備える。【選択図】    図１
2009259283.tif 000002
【特許請求の範囲】
【請求項１】
コンピュータにより室内の透視図を３次元画像でディスプレー上に表示するインテリアシミュレーションシステムであって、
該インテリアシミュレーションシステムを、コンピュータと、ディスプレーで構成し、
上記コンピュータに、
室内のインテリアを複数の異なるスタイルに区分けすると共にスタイルにより区分けされたそれぞれの室内の３次元形状データ及びテクスチャーデータを蓄積した３次元画データファイルと、
上記ディスプレー上において表示する透視図の視点位置・観察方向を移動するための視点位置・観察方向移動処理手段と、
上記ディスプレー上において表示する透視図のスタイルを変更するスタイル変更処理手段とを
備えて成ることを特徴とするインテリアシミュレーションシステム。
【請求項２】
インターネットやイントラネットのようなネットワークを介してサーバーにより室内の透視図を３次元画像で端末装置のディスプレー上に表示するインテリアシミュレーションシステムであって、
該インテリアシミュレーションシステムを、サーバーと、ネットワークと、ディスプレーを備えた端末装置で構成し、
上記サーバーに、
室内のインテリアを複数の異なるスタイルに区分けすると共にスタイルにより区分けされたそれぞれの室内の３次元形状データ及びテクスチャーデータを蓄積した３次元画データファイルと、
上記端末装置のディスプレー上において表示する透視図の視点位置・観察方向を移動するための視点位置・観察方向移動処理手段と、
上記ディスプレー上において表示する透視図のスタイルを変更するスタイル変更処理手段とを
備えて成ることを特徴とするインテリアシミュレーションシステム。
【発明の詳細な説明】
【技術分野】
【０００１】
本発明は、インテリアシミュレーションシステムに関するものである。
【背景技術】
【０００２】
新築、改築、模様替え等において建物の室内のインテリアを統一して行うことがなされている。
【０００３】
室内のインテリアを統一するためのスタイルとしては複数のスタイルがある。例えば、トラディショナル調に統一したり、あるいはナチュラル調に統一したり、あるいはモダンナチュラル調に統一したり、あるいはモダン調に統一したりというように複数の異なるインテリアスタイルがあり、上記複数の異なるインテリアスタイルのうちの好みによりいずれかのインテリアスタイルを選んで、選択したインテリアスタイルで室内のインテリアを統一するのである。
【０００４】
ところが、新築、改築、模様替え等において建物の室内のインテリアを統一して行おうとする人にとって、例えば、壁の柄や色、床の柄や色、天井の柄や色、システムキッチンの柄や色及び形状や大きさ、食卓の柄や色及び形状や大きさ、ソファーの柄や色及び形状や大きさ………という個々のインテリア要素の色や柄（あるいは色や柄及び形状や大きさ）はわかっても、室内にこれら個々のインテリア要素を設置した場合における室内全体の具体的なインテリアのイメージが判らないという問題がある。特に、室内を異なる視点位置・観察方向で見たそれぞれの場合における室内全体のインテリアのイメージが判らず、実際に工事をおこなった場合、想像していたイメージと異なるという問題がある。
【０００５】
そこで、従来にあっては、異なるスタイル毎にそれぞれ室内を異なる視点位置・観察方向で撮影した写真を撮影したもの、あるいは写真を用いた冊子を用意し、顧客はこれらの写真や冊子を見ることで新築、改築、模様替え等において建物の室内のインテリアを選択する際の参考にしている。
【０００６】
ところが、上記のような従来例にあっては、写真の数や冊子のページ数が多くありすぎて好みのものを探す作業が繁雑であり、特に、同一視点位置・観察方向で見た異なるスタイルの写真や冊子のページを探して比較しようとする場合、探すのが大変であるという問題がある。
【０００７】
更に、視点位置・観察方向を自由に変えて室内全体のインテリアのイメージを見ることができないという問題がある。
【先行技術文献】
【特許文献】
【０００８】
【特許文献１】特開２０００−１４９０４９号公報
【発明の概要】
【発明が解決しようとする課題】
【０００９】
本発明は上記の点に鑑みてなされたものであり、ディスプレー上で透視図のスタイルを自由に変更し且つ各スタイル毎に視点位置・観察方向を自由に移動させて透視図の３次元画像を見て、簡単に室内全体の透視図ができるインテリアシミュレーションシステムを提供することを課題とするものである。
【課題を解決するための手段】
【００１０】
上記課題を解決するために、本発明は、以下のような構成になっている。
【００１１】
本発明は、コンピュータ１により室内の透視図を３次元画像でディスプレー上に表示するインテリアシミュレーションシステムであって、該インテリアシミュレーションシステムを、コンピュータ１と、ディスプレー２で構成し、上記コンピュータ１に、室内のインテリアを複数の異なるスタイルに区分けすると共にスタイルにより区分けされたそれぞれの室内の３次元形状データ及びテクスチャーデータを蓄積した３次元画データファイル８と、上記ディスプレー２上において表示する透視図の視点位置・観察方向を移動するための視点位置・観察方向移動処理手段９と、上記ディスプレー２上において表示する透視図のスタイルを変更するスタイル変更処理手段６とを備えて成ることを特徴とするものである。
【００１２】
このような構成とすることで、ディスプレー２上で透視図のスタイルを自由に変更し且つ各スタイル毎に室内を視点位置・観察方向を移動しながら見た３次元画像１１を見て、好みのインテリアスタイルを見つけることができるものである。特に、同一の視点位置・観察方向から見た透視図を異なるスタイル毎に切り替えてディスプレー２上に表示させて見たり、あるいは、同一スタイルにおいて室内を視点位置・観察方向を移動しながら見た連続した３次元画像１１をディスプレー２上に表示して見ることができるものである。
【００１３】
また、インターネットやイントラネットのようなネットワーク１０を介してサーバー１により室内の透視図を３次元画像で端末装置７のディスプレー２上に表示するインテリアシミュレーションシステムであって、該インテリアシミュレーションシステムを、サーバー１と、ネットワーク１０と、ディスプレー２を備えた端末装置７で構成し、上記サーバー１に、室内のインテリアを複数の異なるスタイルに区分けすると共にスタイルにより区分けされたそれぞれの室内の３次元形状データ及びテクスチャーデータを蓄積した３次元画データファイル８と、上記端末装置７のディスプレー２上において表示する透視図の視点位置・観察方向を移動するための視点位置・観察方向移動処理手段９と、上記ディスプレー２上において表示する透視図のスタイルを変更するスタイル変更処理手段６とを備えて成ることを特徴とするものであってもよい。
【００１４】
このような構成とすることで、端末装置７からネットワーク１０を介してサーバー１にアクセスすることで、端末装置７のディスプレー２上で透視図のスタイルを自由に変更し且つ各スタイル毎に室内を視点位置・観察方向を移動しながら見た３次元画像１１を見て、好みのインテリアスタイルを見つけることができるものである。特に、同一の視点位置・観察方向から見た斜視図を異なるスタイル毎に切り替えてディスプレー２上に表示させて見たり、あるいは、同一スタイルにおいて室内を視点位置・観察方向を移動しながら見た連続した３次元画像１１をディスプレー２上に表示して見ることができるものである。
【発明の効果】
【００１５】
本発明の請求項１記載の発明にあっては、コンピュータにより室内の透視図を３次元画像でディスプレー上に表示するインテリアシミュレーションシステムであって、該インテリアシミュレーションシステムを、コンピュータと、ディスプレーで構成し、上記コンピュータに、室内のインテリアを複数の異なるスタイルに区分けすると共にスタイルにより区分けされたそれぞれの室内の３次元形状データ及びテクスチャーデータを蓄積した３次元画データファイルと、上記ディスプレー上において表示する透視図の視点位置・観察方向を移動するための視点位置・観察方向移動処理手段と、上記ディスプレー上において表示する透視図のスタイルを変更するスタイル変更処理手段とを備えているので、ディスプレー上で透視図のスタイルを自由に変更し且つ各スタイル毎に視点位置・観察方向を自由に移動させて透視図の３次元画像を見たりして、簡単に室内全体の透視図ができるものである。
【００１６】
また、請求項２記載の発明にあっては、インターネットやイントラネットのようなネットワークを介してサーバーにより室内の透視図を３次元画像で端末装置のディスプレー上に表示するインテリアシミュレーションシステムであって、該インテリアシミュレーションシステムを、サーバーと、ネットワークと、ディスプレーを備えた端末装置で構成し、上記サーバーに、室内のインテリアを複数の異なるスタイルに区分けすると共にスタイルにより区分けされたそれぞれの室内の３次元形状データ及びテクスチャーデータを蓄積した３次元画データファイルと、上記端末装置のディスプレー上において表示する透視図の視点位置・観察方向を移動するための視点位置・観察方向移動処理手段と、上記ディスプレー上において表示する透視図のスタイルを変更するスタイル変更処理手段とを備えているので、利用者はネットワークを介して端末装置のディスプレー上で透視図のスタイルを自由に変更し且つ各スタイル毎に視点位置・観察方向を自由に移動させて透視図の３次元画像を見たりして、簡単に室内全体の透視図ができるものである。
【図面の簡単な説明】
【００１７】
【図１】本発明の実施形態の概略構成図である。
【図２】同上のマンションの平面図である。
【図３】同上の３次元画像閲覧ページの説明図である。
【図４】同上の視点位置・観察方向を説明するためのグラフである。
【図５】同上のフローチャートである。
【発明を実施するための形態】
【００１８】
以下、本発明を添付図面に示す実施形態に基づいて説明する。
【００１９】
図１乃至図５には本発明の一実施形態が示してある。図１は本発明のインテリアシミュレーションシステムの概略を示すもので、端末装置７（端末コンピュータ）とコンピュータにより構成されるサーバー１との間で、サーバー１に蓄積されたデータをインターネットやイントラネットのようなネットワーク１０を介して端末装置７に伝達することができるように設定してある。
【００２０】
サーバー１にはネットワーク１０を介してサーバー１と端末装置７とを接続するための処理プログラム１２と、データを格納した記憶装置１３とが備えてある。記憶装置１３には端末装置７のディスプレー２上に表示するための文書を格納した文書ファイル１４と、後述する室内の３次元画像１１を格納した３次元画データファイル８と、３次元画データファイル８に格納されたデータを処理して端末装置７のディスプレー２上で３次元画像１１の処理を行うためのプログラムを有するプログラムファイル１６が格納してある。
【００２１】
３次元画データファイル８は３次元形状ファイル８ａとテクスチャ画像ファイル８ｂとにより構成してある。
【００２２】
テクスチャ画像ファイル８ｂには、ある特定された室内のインテリアを複数の異なるインテリアスタイルに区分けし且つこの異なるインテリアスタイルの構成部位である例えば、床、壁、天井、キッチン、食卓・椅子、ソファ、食卓用照明……等ごとの各テクスチャデータが蓄積してあり、また、３次元形状ファイル８ａにはある特定された室内のインテリアを複数の異なるインテリアスタイルに区分けし且つこの異なるインテリアスタイルの構成部位である例えば、キッチン、食卓・椅子、ソファ、食卓用照明……等ごとの各３次元形状データが蓄積してある。下記の表１には上記インテリアスタイル毎の構成部位のテクスチャーデータ、３次元形状データの例を示す。表１において、Ｔはテクスチャーデータ、Ｓは３次元形状データを示している。
【００２３】
【表１】
2009259283.tif 000003
すなわち、実施形態においてはある特定された室内として図２の平面図において符号１５で示すリビングダイニングルームの例が示してある。そして、室内の異なるインテリアのスタイルとしては、例えば、トラディショナル調に統一したスタイル、あるいはナチュラル調に統一したスタイル、あるいはモダンナチュラル調に統一したスタイル、あるいはモダン調に統一したスタイル……等に区分してあり、リビングダイニングルーム１５内をトラディショナル調に統一したスタイル、あるいはナチュラル調に統一したスタイル、あるいはモダンナチュラル調に統一したスタイル、あるいはモダン調に統一したスタイルという各スタイル毎に、それぞれ室内を図２の（Ｐ）で示す視点位置・観察方向を移動しながら見た３次元画像１１のデータを３次元形状ファイル８ａとテクスチャ画像ファイル８ｂとにより構成した３次元画データファイル８に蓄積してある。
【００２４】
また、サーバー１に設けた記憶装置１３に格納したプログラムファイル１６は３次元画データファイル８に格納されたデータを処理するためのプログラムを有するものであるが、３次元画データファイル８に格納されたデータを処理する手段としては端末装置７のディスプレー２上において透視図の３次元画像１１を表示するに当たり、この表示する透視図の３次元画像１１の視点位置・観察方向を移動するための視点位置・観察方向移動処理手段９と、ディスプレー２上において表示する透視図のスタイルを変更するスタイル変更処理手段６とが設けてある。
【００２５】
また、サーバー１にはインターネットやイントラネット等のネットワーク１０上で運営される図３に示すような閲覧サイト１７が開設してあり、この閲覧サイト１７の３次元画像閲覧ページ１７ｂには視点位置・観察方向を変更して３次元画像１１を表示するための視点位置・観察方向移動釦２０、スタイルを変更して３次元画像閲覧ページ１７ｂに３次元画像１１を表示するためのスタイル変更釦１９（図３においてはトラディショナル釦１９ｂ、ナチュラル釦１９ｃ、ナチュラルモダン釦１９ｄ、モダン釦１９ｅ）が表示される。視点位置・観察方向移動釦２０は、視点を前に移動させるための視点前移動用釦２０ａ、視点を後に移動させるための視点後移動用釦２０ｂ、視点を左に移動させるための視点左移動用釦２０ｃ、視点を右に移動させるための視点右移動用釦２０ｄ、観察方向を移動させるための観察方向移動用釦２０ｅ、視点高さを変更するための視点高さ変更用釦２０ｆとがある。図４には視点位置・観察方向を示すグラフであり、ｘ１は視点のＸ座標、ｙ１は視点のＹ座標、ｚ１は視点のＺ座標を示し、θ１は観察方向を示している。
【００２６】
そして、視点位置・観察方向移動釦２０を操作して視点位置・観察方向を移動しながら見た３次元画像１１が３次元画像閲覧ページ１７ｂに表示されるようにプログラムファイル１６に格納したプログラムにより処理される。
【００２７】
しかして、マンション、戸建て住宅等の建物を新築したり、改築したりする場合における室内のインテリアを統一しておこなったり、あるいは既存の建物の室内の模様替えのインテリアを統一して行おうとする人やアドバイスする人（以下これらの人を利用者と称する）は、端末コンピュータにより構成される端末装置８からインターネットやイントラネット等のネットワーク１０を介してサーバー１にアクセスし、端末装置８のディスプレー２上に図３示すような３次元画像閲覧ページ１７ｂを表示する。
【００２８】
そして、ディスプレー２上に表示された３次元画像閲覧ページ１７ｂに表示してあるスタイル変更釦１９や視点位置・観察方向移動釦２０をクリックすることで、３次元画像閲覧ページ１７ｂに目的とするインテリアスタイルの３次元画像１１を視点位置・観察方向を移動しながら表示される。図５には本実施形態における端末装置８のディスプレー２上に表示される３次元画像１１を切り替えるプログラムのフローチャートを示している。
【００２９】
ここで、例えば、スタイル変更釦１９のうちトラディショナル釦１９ｂをクリックすると、トラディショナル調に統一されたスタイルの３次元画像１１が端末装置８のディスプレー２上に表示され、視点位置・観察方向移動釦２０を操作して視点を移動したり、観察方向を移動したりすることで、３次元画像１１を連続して変化させながらディスプレー２上に表示し、これによりディスプレー２上でトラディショナル調に統一されたスタイルの室内をリアルに再現して見ることができるものである。
【００３０】
また、同様にして、スタイル変更釦１９のうちナチュラル釦１９ｃやナチュラルモダン釦１９ｄやモダン釦１９ｅを選択してクリックすると、それぞれディスプレー２上にナチュラル調に統一したスタイルの３次元画像１１やモダンナチュラル調に統一したスタイルの３次元画像１１やあるいはモダン調に統一したスタイルの３次元画像１１が表示される。この場合も、いずれかのインテリアスタイルを設定した状態で視点位置・観察方向移動釦２０を操作して視点を移動したり、観察方向を移動したりすることで、３次元画像１１を連続して変化させながらディスプレー２上に表示することができる。
【００３１】
また、視点位置・観察方向を同じ状態としたまま、トラディショナル釦１９ｂやナチュラル釦１９ｃやナチュラルモダン釦１９ｄやモダン釦１９ｅを選択してクリックすることで、例えば、同一視点位置・観察方向において、異なるインテリアスタイルの３次元画像１１を表示できて、同一視点位置・観察方向における異なるインテリアスタイルの比較が簡単にできるものである。
【００３２】
なお、上記実施形態ではインターネットやイントラネットのようなネットワーク１０を介してサ−バー１により室内の透視図を３次元画像１１で端末装置７のディスプレー２上に表示するインテリアシミュレーションシステムにつき説明したが、インターネットやイントラネットのようなネットワーク１０に接続してないコンピュータ１により室内の透視図を３次元画像１１をディスプレー２上に表示するようにしてもよいものである。
【符号の説明】
【００３３】
１  コンピュータ（サーバー）
２  ディスプレー
６  スタイル変更処理手段
７  端末装置
８  ３次元画データファイル
９  視点位置・観察方向移動処理手段
１０  ネットワーク
１１  ３次元画像
【図１】
2009259283.tif 000004
【図２】
2009259283.tif 000005
【図３】
2009259283.tif 000006
【図４】
2009259283.tif 000007
【図５】
2009259283.tif 000008